(57)【要約】【課題】小型で筐体の内部に収納することができ、小型化を抑制することのないアンテナ装置を提供する。【解決手段】アンテナ装置１は、携帯電子機器の筐体の内部に収納され、送信電波を受信するアンテナ導体と、このアンテナ導体の近傍に配設され、送信電波により誘導起電力を誘起されるコイル部と、コイル部に電気的に接続され誘導起電力から所望の周波数の電気信号を抽出する容量部とを有している。この構成により、まず、送信電波は、アンテナ導体に誘導起電力を発生させる。そしてさらに、このアンテナ導体に誘起された誘導起電力はさらに、コイル部に誘導起電力を発生させる。容量部は、この誘導起電力から所望の周波数の電気信号を抽出する。【選択図】図２
2006180157.tif 000002
【特許請求の範囲】
【請求項１】
携帯電子機器の筐体の内部に収納され、送信電波を受信するアンテナ導体と、
前記アンテナ導体の近傍に配設され、前記送信電波により誘導起電力を誘起されるコイル部と、
前記コイル部に電気的に接続され前記誘導起電力から所望の周波数の電気信号を抽出する容量部とを有することを特徴とするアンテナ装置。
【請求項２】
携帯電子機器の筐体の内部に配設された回路基板をさらに有し、
前記アンテナ導体は、前記回路基板の主面に形成されていることを特徴とする請求項１に記載のアンテナ装置。
【請求項３】
前記回路基板は、前記筐体の断面のほぼ全域に広がっていることを特徴とする請求項２に記載のアンテナ装置。
【請求項４】
前記回路基板は、前記筐体の内面に沿って広がっていることを特徴とする請求項２または３に記載のアンテナ装置。
【請求項５】
前記コイル部及び前記容量部の少なくともいずれか一方は前記回路基板に実装されていることを特徴とする請求項２から４のいずれか１項に記載のアンテナ装置。
【請求項６】
前記コイル部及び容量部が複数設けられていることを特徴とする請求項１から５のいずれか１項に記載のアンテナ装置。
【請求項７】
前記アンテナ導体が平板状であることを特徴とする請求項１から６のいずれか１項に記載のアンテナ装置。
【請求項８】
前記アンテナ導体が膜状であることを特徴とする請求項１から６のいずれか１項に記載のアンテナ装置。
【請求項９】
前記アンテナ導体は、前記回路基板状に形成される回路パターンと同一の工程にて作製されることを特徴とする請求項８に記載のアンテナ装置。
【請求項１０】
前記アンテナ導体の面積が、アンテナグランドの面積より大きいことを特徴とする請求項１から９のいずれか１項に記載のアンテナ装置。
【請求項１１】
前記コイル部は、巻線が巻回されて作製され、内部にフェライト部材が挿入されていることを特徴とする請求項１から９のいずれか１項に記載のアンテナ装置。
【請求項１２】
前記コイル部が、前記フェライト部材に固定されていることを特徴とする請求項１から１１のいずれか１項に記載のアンテナ装置。
【請求項１３】
前記容量部が、前記フェライト部材に固定されていることを特徴とする請求項１から１２のいずれか１項に記載のアンテナ装置。
【請求項１４】
前記フェライト部材が可撓性を有していることを特徴とする請求項１１から１３のいずれか１項に記載のアンテナ装置。
【請求項１５】
前記容量部が、バラクタダイオードであることを特徴とする請求項１２から１４のいずれか１項に記載のアンテナ装置。
【請求項１６】
前記筐体の接地導体が前記アンテナ導体を兼ねていることを特徴とする請求項１から１５のいずれか１項に記載のアンテナ装置。
【請求項１７】
前記送信電波がＦＭ放送の送信電波であることを特徴とする請求項１から１６いずれか１項に記載のアンテナ装置。
【発明の詳細な説明】
【技術分野】
【０００１】
本発明は、移動体通信やパーソナルコンピュータなどの無線通信を行う携帯電子機器等に好適に用いられる携帯電子機器用のアンテナ装置に関するものである。
【背景技術】
【０００２】
近年、携帯電話等の携帯電子機器において、本来の目的である通話を行うためのホイップアンテナに加え、他の携帯電子機器とデータの無線通信を行う等の目的で新たに別のアンテナを搭載するものが増えてきている。また、ノートブックパソコン等の携帯型モバイル電子機器においても、無線ＬＡＮなどを用いて静止画・動画といったデータを通信にてやり取りすることが増えてきており、このため携帯電子機器内にアンテナを搭載する携帯型モバイル電子機器も増えてきている。
【０００３】
更に、最近では携帯電話の多機能化が進められており、ブルーツゥース機能やＧＰＳ機能を搭載したものやＦＭ（Ｆｒｅｑｕｅｎｃｙ  Ｍｏｄｕｌａｔｉｏｎ）放送を受信できる携帯電話も増えてきている。携帯電話の多機能化の中でも、ＦＭラジオ受信機能を搭載した携帯電話は年々増加しており、国内だけではなく欧州や米州においても需要が拡大している。
【０００４】
ＦＭ放送の受信を行う方法としては、過去には携帯電話に収納されているロッド型アンテナを使用時に引き伸ばして使用する方法が採られてきた。近年では、イヤホンコードを携帯電話に差し込み、イヤホンコードを受信アンテナとして用いてＦＭ放送を受信する方法が増えてきている。図９は、従来のイヤホンコードを受信アンテナとして用いる携帯電話の模式図である。この例では、イヤホンコードがＦＭ受信アンテナとして使われている。
【０００５】
図９において、携帯電話１０２の側面部には、イヤホンコード１０１が接続される為の図示しないイヤホンジャックが設けられている。イヤホンコード１０１は、一側端に設けられた図示しないプラグをイヤホンジャックに接続される。そして、イヤホンコード１０１は、ＦＭアンテナとしての機能を果たす。一方、イヤホンコード１０１のプラグと反対の側には、イヤホン１００が設けられており、利用者はこのイヤホン１００にてＦＭ放送を聞く。つまり、イヤホンコード１０１はＦＭアンテナを兼ねている（例えば、特許文献１参照）。
【特許文献１】特開平９−３１２８９４号公報
【発明の開示】
【発明が解決しようとする課題】
【０００６】
しかしながら、このような構成の従来の携帯電話においては、携帯電話の他にイヤホンコード１０１を持ちあるかなければならないといった煩わしさがある。また、イヤホンコード１０１ではＦＭ放送の受信感度が低く、電波の状態によっては、放送が聞き取りにくくなるといった問題があった。
【０００７】
更に、イヤホンコード１０１は外部アンテナであることから、イヤホンコード１０１を携帯電話１０２に接続させるイヤホンジャックを携帯電話１０２に設けなければならず、小型・薄型化が進む携帯電話においてイヤホンジャックの占める面積を確保するのが困難になってきたという問題もある。
【０００８】
本発明は、これらの問題に鑑み、携帯電話や携帯端末といった携帯電子機器にアンテナを設ける際、外観の意匠性を損なうことなく、小型で筐体の内部に収納することができ、小型化を抑制することのないアンテナ装置を提供することを目的とする。
【課題を解決するための手段】
【０００９】
上記課題を解決するために本発明にかかるアンテナ装置は、例えば携帯電子機器の筐体の内部に収納された回路基板上に設けられた導体の一部をアンテナとして使用する。そして、このアンテナが受信した送信電波により誘導起電力を誘起されるコイル部を設け、さらにこの誘導起電力による電気信号から所望の周波数の電気信号を抽出する容量部を設ける。
【発明の効果】
【００１０】
本発明の構成により、所定の筐体内にアンテナを内蔵する構造に最適となる小型のアンテナ装置を実現することができ、携帯電話や携帯端末等の携帯電子機器にアンテナ装置を内蔵することが可能となり、例えば、携帯電子機器の利用者がＦＭ放送を受信する際、イヤホンコードを携帯電子機器に接続する必要がなくなり、いつでもすぐにＦＭ放送を聞くことが可能となるとともに、イヤホンコードを携帯する必要がなくなる。
【００１１】
また、コイルにフェライト部材を挿入することにより、小型で受信感度の高い内蔵アンテナ装置を実現できることから、利用者がＦＭ放送を受信する場所や携帯電子機器の状態に関係なく、ＦＭ放送を高感度で受信できる。
【００１２】
更に、アンテナ導体が携帯電子機器の回路基板の一部に形成されていることから、余分な設計工程や部材が不要となり、小型化が更に促進され、コストも低減される。また、携帯電子機器の小型化、薄型化が可能となるとともに、アンテナ装置の受信利得を向上させることができる。
【００１３】
また、携帯電子機器にイヤホンコードを接続するジャックを設ける必要がないので、更なる携帯電子機器の小型・薄型化を図ることができる。
【００１４】
更に、外装にジャックを設ける必要がないことで、外観の意匠性が向上する。さらには、製造が容易となり携帯電子機器の低コスト化を促進し、また、携帯電話のジャックに発生する静電気による故障が減り、機器の信頼性が向上する。
【発明を実施するための最良の形態】
【００１５】
本発明の請求項１に記載のアンテナ装置は、携帯電子機器の筐体の内部に収納され、送信電波を受信するアンテナ導体と、アンテナ導体の近傍に配設され、送信電波により誘導起電力を誘起されるコイル部と、コイル部に電気的に接続され誘導起電力から所望の周波数の電気信号を抽出する容量部とを有する。この構成により、まず、送信電波は、アンテナ導体に誘導起電力を発生させる。そしてさらに、このアンテナ導体に誘起された誘導起電力はさらに、コイル部に誘導起電力を発生させる。容量部は、この誘導起電力から所望の周波数の電気信号を抽出する。
【００１６】
本発明の請求項２に記載のアンテナ装置は、請求項１記載のアンテナ装置において、携帯電子機器の筐体の内部に配設された回路基板をさらに有し、アンテナ導体は、回路基板の主面に形成されている。この構成により、アンテナ導体は、回路基板の平面に形成されるので、設計が容易となるばかりか、製造が容易となりコストダウンを図ることができる。
【００１７】
本発明の請求項３に記載のアンテナ装置は、請求項２記載のアンテナ装置において、回路基板は、筐体の断面のほぼ全域に広がっている。この構成により、限られた範囲の筐体の内部にて、受信面積の広いアンテナ導体を効率的に配置することができる。
【００１８】
本発明の請求項４に記載のアンテナ装置は、請求項２または３記載のアンテナ装置において、回路基板は、筐体の内面に沿って広がっている。この構成により、筐体内部の空間を有効に活用することができる。
【００１９】
本発明の請求項５に記載のアンテナ装置は、請求項２から４のいずれか記載のアンテナ装置において、コイル部及び容量部の少なくともいずれか一方は回路基板に実装されている。この構成により、コイル部及び容量部の設置場所を回路基板の他の位置に設ける必要がなく、また、筐体内部の空間が有効に使用され、さらに装置の製造プロセスにおいては、組立工数が削減される。
【００２０】
本発明の請求項６に記載のアンテナ装置は、請求項１から５のいずれか記載のアンテナ装置において、コイル部及び容量部が複数設けられている。この構成により、アンテナ導体が受信した受信電波より、複数の周波数の電波が抽出される。
【００２１】
本発明の請求項７に記載のアンテナ装置は、請求項１から６のいずれか記載のアンテナ装置において、アンテナ導体が平板状である。この構成により、アンテナ導体の作製が容易であるとともに、アンテナ導体の形状を最適化し易くアンテナ受信利得を向上させ易い。
【００２２】
本発明の請求項８に記載のアンテナ装置は、請求項１から６のいずれか記載のアンテナ装置において、アンテナ導体が膜状である。この構成により、通常の基板上の回路パターンと同様の手順により作製できるので、アンテナ導体の作製がし易いとともに、アンテナ導体の形状を最適化し易くアンテナ受信利得を向上させ易いという作用をする。
【００２３】
本発明の請求項９に記載のアンテナ装置は、請求項８記載のアンテナ装置において、アンテナ導体は、回路基板状に形成される回路パターンと同一の工程にて作製される。この構成により、製造工程プロセス数を増やすことなくアンテナ導体を作製することが可能となりコストの増加を抑制することができる。
【００２４】
本発明の請求項１０に記載のアンテナ装置は、請求項１から９のいずれか記載のアンテナ装置において、アンテナ導体の面積が、アンテナグランドの面積より大きい。この構成により、周波数帯域において受信帯域が広く、感度の良いアンテナ装置を実現することができる。
【００２５】
本発明の請求項１１に記載のアンテナ装置は、請求項１から９のいずれか記載のアンテナ装置において、コイル部は、巻線が巻回されて作製され、内部にフェライト部材が挿入されている。この構成により、装置の小型化がさらに促進され、アンテナ装置を携帯電子機器内に内蔵させ易くなる。さらに、フェライト部材はアンテナの受信帯域を拡大する。
【００２６】
本発明の請求項１２に記載のアンテナ装置は、請求項１から１１のいずれか記載のアンテナ装置において、コイル部が、フェライト部材に固定されている。この構成により、コイル部の設置場所をフェライト部材の他の位置に設ける必要がなく、筐体内部の空間が有効に使用され、さらに装置の小型化を図ることができる。
【００２７】
本発明の請求項１３に記載のアンテナ装置は、請求項１から１２のいずれか記載のアンテナ装置において、容量部が、フェライト部材に固定されている。この構成により、容量部の設置場所をフェライト部材の他の位置に設ける必要がなく、筐体内部の空間が有効に使用され、さらに装置の小型化を図ることができる。
【００２８】
本発明の請求項１４に記載のアンテナ装置は、請求項１１から１３のいずれか記載のアンテナ装置において、フェライト部材が可撓性を有している。この構成により、小型化を図るのに都合の良いようにフェライト部材の形状を任意の形状に変形することができ、いっそうの小型化を図ることができる。
【００２９】
本発明の請求項１５に記載のアンテナ装置は、請求項１２から１４のいずれか１項に記載のアンテナ装置において、容量部が、バラクタダイオードである。この構成により、受信電波の周波数帯において狭帯域のアンテナであっても、アンテナの共振周波数を変化させることで任意の周波数に同調させることができる。
【００３０】
本発明の請求項１６に記載のアンテナ装置は、請求項１から１５のいずれか記載のアンテナ装置において、筐体の接地導体がアンテナ導体を兼ねている。この構成により、回路基板のほぼ全体をアンテナ導体として用いることができる。
【００３１】
本発明の請求項１７に記載のアンテナ装置は、請求項１から１６のいずれか記載のアンテナ装置において、送信電波がＦＭ放送の送信電波である。この構成により、ＦＭ放送の送信電波がアンテナ導体によりキャッチされることによりアンテナ導体上に電圧が誘起され、アンテナ導体に誘起された誘導起電力により、コイル部に誘導起電力が生じさせることで、ＦＭ送信電波を抽出することができ、ＦＭ放送を聞くことができる。
【００３２】
（実施の形態１）
図１は本発明にかかるアンテナ装置の実施の形態１を収納する携帯端末の正面図である。図１において、携帯電子機器である携帯端末１０は、矩形平板状をなし、表面１０ａを構成する一側の大面積面には、例えば液晶画面でなる表示部１０ｃと操作ボタン群でなる操作部１０ｄとが設けられている。表面１０ａと反対側の大面積面は、裏面１０ｂを構成している。なお、携帯端末１０の筐体内に収納されたバッテリー１０ｅを描き入れたものを図２（ｂ）に示す。
【００３３】
図３は携帯端末１０を図２（ａ）におけるIII−IIIに沿って切り取った裏面１０ｂ側の部分を示す正面図である。図４（ａ）は図３のIV−IV線に沿う矢視断面図である。図２（ａ）及び図３にそって、アンテナ装置１の構成を説明する。アンテナ装置１は、携帯端末１０の外装を構成する筐体８の内部に収納されている。
【００３４】
アンテナ装置１は、アンテナ導体２、コイル部３及び容量部４から構成されている。回路基板７は、筐体８の内部にて、筐体８の内側面８ａに沿うように全面に広がって配置されている。なお、アンテナ装置１は、図４（ａ）に示すように回路基板７の表面１０ａ側に設けられる場合もあるし、また図４（ｂ）に示すように回路基板７の裏面１０ｂ側に設けられる場合もある。回路基板７を図４（ｂ）のように配置したとき、回路基板７と筐体８との間にバッテリー１０ｅを配置することも多い。
【００３５】
アンテナ導体２は、例えば、回路基板７の端（図１の上端）から所定の面積の部分に広がって形成されている。なお、残る面積の部分にはアンテナグランド６が広がって形成されている。
【００３６】
アンテナ導体２上にコイル部３が配設されている。コイル部３は、巻線９が円筒状に巻回されて作製されており、この円筒の内部に棒状のフェライト部材５が挿嵌されている。コイル部３の出力端子は容量部（コンデンサ）４の一側の端子に接続されている。さらにコンデンサ４の他側の端子はＦＭ回路部１１の入力端子に接続されている。
【００３７】
アンテナ導体２について、さらに説明する。アンテナ導体２としては、銅、銅合金、銀、銀合金、金、金合金、ニッケル、ニッケル合金、アルミニウム及びアルミニウム合金等の導電材料で作製された板状のものが用いられるか、もしくは金属膜、金属箔等の導電材料で作製された等の導電材料で作製された膜状ものが用いられる。単層か多層かはいずれであってもよい。
【００３８】
アンテナ導体２が金属膜である場合、めっき、蒸着、スパッタ及び塗布などの工法により形成することができる。また、回路基板７上に回路パターンが形成されるような場合には、この回路パターンと同様の手順によって同時に形成されてもよい。
【００３９】
アンテナ導体２の面積は、出来るだけ大きい方がよく、アンテナ導体２の面積を大きくすることにより、ＦＭ周波数帯域において受信帯域の広いアンテナとすることができる。なお、アンテナ導体２は形成された後に、レーザートリミングや、剥ぎ取りなどにより、その面積、長さを適宜変更することができる。
【００４０】
アンテナ導体２は、携帯端末１０においてＦＭアンテナとしての機能をもち、アンテナ導体２の大きさ、厚み、形状によりアンテナの受信利得、受信帯域が変化する。アンテナ導体２の大きさが大きいほどアンテナの受信利得を向上させるが、筐体８の内部に納めるために、所定の大きさに規定される。また、アンテナ導体２の厚みが厚いほど受信電波に対する受信周波数帯域が広くなるが、携帯端末１０の小型化、薄型化により、所定の厚さに規定される。
【００４１】
次に、コイル部３について説明する。コイル部３は、図３及び図４に示されているように巻線９が円筒状に巻回されて作製されており、隙間を設けて巻かれるか、密着して巻かれているかはどちらでもよい。巻線９の巻き方や巻数によってコイル部３のインダクタンスを調整することができる。コイル部３のインダクタンスは、コイル部の巻数の２乗に比例し、コイル部の面積に比例し、コイル部の長さに反比例する。
【００４２】
巻線９は、銅、銅合金、銀、銀合金、金、金合金、アルミニウム、アルミニウム合金、錫及び錫合金等の材料で作製されることが好ましく、それらの中でも特に、コスト面、強度面、扱い易さなどを考慮すると、銅あるいは銅合金で作製されることが好ましい。
【００４３】
コイル部３は、本実施の形態においては、回路基板７上にアンテナ導体２に接触するように実装されているが、必ずしも接触する必要はない。また、本実施の形態においては、１つのアンテナ導体２に対してコイル部３が１つ設けられているが。１つのアンテナ導体２に対してコイル部３が２個以上設けられていてもよい。コイル部３が２個以上設けることにより、アンテナ導体２が受信した受信電波から複数の周波数の電波を抽出することができる。
【００４４】
また、本実施の形態においては、コイル部３にフェライト部材５が挿嵌されているが、必ずしも挿嵌されてなくてもよい。フェライト部材５をコイル部３に挿入することでコイル部３の巻数を減らすことができ、コイル部３の小型化ができるとともにＦＭ周波数の受信帯域を拡大することができる。コイル部３は、アンテナ導体２で誘起された誘導起電力が作用することにより、自らにも誘導起電力を生じさせる。これによりＦＭ放送の電波信号がコイル部３で受信される。
【００４５】
受信されたＦＭ信号は、コイル部３のインダクタンスと容量部４を構成するコンデンサ或いはバラクタダイオードのインピーダンスのマッチングにより、ＦＭ放送周波数の同調が図られＦＭ回路部１１へと導かれる。
【００４６】
次に、容量部４について説明する。容量部４は、コンデンサ或いはバラクタダイオードにより構成されており、さらにコンデンサのタイプとしては、チップコンデンサが用いられている。容量部４は、コイル部３と同様に回路基板７に実装されている。容量部４は、アンテナ導体２に対して単数設けられていてもよいし複数設けられていてもよい。
【００４７】
抽出する電波の周波数に関して、コイル部３のインダクタンスと容量部４の大きさにより共振周波数を設定することができる。また、容量部４にバラクタダイオードを使用することにより、共振周波数を任意のものに制御することができる。
【００４８】
次に、フェライト部材５について説明する。フェライト部材５は、金属磁性材料に比べ高周波領域まで一定の透磁率と低い磁気損失を保持する。しかしながら、ＦＭ周波数帯である１００ＭＨｚ帯域では、磁気緩和、磁気共鳴現象により急激に透磁率が低下する。つまり、フェライト部材５の磁気損失は、限界周波数付近で急増してしまう。
【００４９】
したがって、フェライト部材５は、高周波領域で使用する場合に発生する渦電流損失を小さくするために電気絶縁性に優れたものを使用する。そしてさらに、インピーダンスを高くするためには比透磁率の大きいものが望ましい。このようなことから、Ｎｉ−Ｚｎ系フェライト、Ｎｉ−Ｚｎ−Ｃｕ系フェライト、Ｍｎ−Ｍｇ−Ｚｎ系フェライト、または、Ｍｇ−Ｃｕ−Ｚｎ系フェライトが適当である。
【００５０】
フェライト部材５には、コイル部３または容量部４のいずれかが固定されていてもよく、また両方が固定されていてもよい、このような構成とすることでアンテナ装置１の小型化、軽量化が図られ、携帯端末１０の小型化、軽量化を促進することができる。
【００５１】
また、液状の溶剤にフェライト系磁性体の粉体を混ぜ合わせ固めることで、様々な形状に変化可能な可撓性に富むフェライト部材５を作製することができる。このように作製することで、種々の形状のコイル部３にフェライト部材５を挿入することが可能となる。
【００５２】
フェライト部材５をコイル部３に挿入することにより、コイル部３の巻数を減らすことができ、コイル部３の小型化が図れるとともに、ＦＭ周波数の受信帯域を拡大することができる。
【００５３】
次に、アンテナグランド６について説明する。アンテナグランド６は、銅、銅合金等の導電材料で作製された板状のものが用いられるか、もしくは金属膜、金属箔等の導電材料で作製された膜状のものが用いられる。
【００５４】
また、アンテナグランド６は形成された後に、レーザートリミングや、剥ぎ取りなどにより、その面積、長さを適宜変更することができる。アンテナ導体２とアンテナグランド６とは、ＦＭ周波数帯において絶縁され、その他の周波数帯において導通していることが望ましい。この状態は、インダクタンスと容量部４の大きさを変えて並列共振数を調整したり、またノッチフィルター等を設けたりすることにより実現可能である。
【００５５】
次に、ＦＭ回路部１１について説明する。ＦＭ回路部１１は、図５に示されるように、高周波増幅回路２０、周波数変換回路２１、中間周波増幅回路２４、振幅制限回路２５、ＦＭ検波回路２６、デ・エンファシス回路２７及び低周波増幅回路２８から構成されている。
【００５６】
ＦＭ回路部１１の機能は以下の通りである。すなわち、アンテナ装置１で受信されたＦＭ信号を高周波増幅回路２０により高周波成分を増幅させ、次に周波数変換回路２１により局部発振回路２２の信号との差である中間周波数信号を取り出す。周波数変換回路２１は、局部発振回路２２と混合回路２３からなり、アンテナ装置１からのＦＭ信号を中間周波数信号に変換する。次に、中間周波増幅回路２４で中間周波数を増幅し、信号の選択をおこなう。そして振幅制限回路２５にて信号の振幅方向の成分を取り除き、信号の振幅をそろえる。次に、ＦＭ検波回路２６にて中間周波数を中心にしたＦＭ波を、周波数の変化から振幅の変化である音声信号に変換し、音声信号として取り出す。次に、デ・エンファシス回路２７にて高域を減衰させることで、高域に含まれるノイズ成分を減らし、最後に低周波成分を低周波増幅回路２８にて増幅させて、音声信号をスピーカ２９に送る。
【００５７】
ＦＭ回路部１１は１チップで構成されていてもよく、また、ＦＭ回路部１１のグランドをアンテナグランド６として用いてもよい。
【００５８】
なお、本実施の形態のＦＭ回路部１１に関しては、必ずしも上述の構成をすべて含むものでなくてもよく、少なくとも信号入力端から中間周波数混合回路２３までを含めたもので有ればよい。
【００５９】
図１から図４にもどり、筐体８について説明する。筐体８は携帯端末１０の外装をなすものであり、筐体８は、一般に外表面及び内表面に導体層が形成されている。外表面がマグネシウム合金などで処理されていることもある。もちろん、銅や銀、金、合金などの他の金属による表面処理や、筐体８の内部に存在する構造体が金属などの導体で形成されている場合もある。
【００６０】
アンテナ装置１は、筐体８の内部に格納されており、棒状の外部アンテナのように筐体８の外部に突起物として設けられることはない。そのため、携帯端末１０の外観デザインを損なうことがなく、また携帯端末１０の小型化も促進するとこができる。
【００６１】
次に、アンテナ装置１の動作について説明する。まず、アンテナ導体２にＦＭ周波数の電波（国内では７６から１１０ＭＨｚ、海外では８８から１０８ＭＨｚ）が受信されると、電界の作用によりアンテナ導体２に誘導起電力が誘起される。このアンテナ導体２に誘起された誘導起電力は、コイル部３に誘導起電力を誘起する。これにより、ＦＭ周波数の電波が受信される。
【００６２】
受信された電波は、容量部４を経由してＦＭ回路部１１に入る。このとき、容量部４としてバラクタダイオードを用いると、コイル部３と容量部４の共振周波数を選択したいＦＭ局の周波数に調整することができる。
【００６３】
（実施の形態２）
図６は本発明にかかるアンテナ装置の実施の形態２を収納する携帯端末を主面に平行な断面で分断した裏面側の正面図である。すなわち、図６は実施の形態２の携帯端末の実施の形態１の図３に相当する部分の断面図である。本実施の形態においては、アンテナ導体２と回路基板７とが別体とされている。アンテナ導体２は、回路基板７の表面の近傍に所定の間隔を空けて平行に配設されている。その他の構成は、実施の形態１と同様である。このような構造のアンテナ装置１であっても実施の形態１と同様に携帯端末１０の筐体８内に収納することができる。
【００６４】
（実施の形態３）
図７は本発明にかかるアンテナ装置の実施の形態３を収納する携帯端末を主面に平行な断面で分断した裏面側の正面図である。本実施の形態においては、筐体８の接地導体がアンテナ導体２を兼ねている。このような構成の場合、アンテナ導体２を別に設置する必要がなくなることから、携帯端末１０におけるアンテナ装置１の占める面積が少なくなり、携帯端末１０の小型化を図ることができる。また、携帯端末１０の筐体８を最大限利用できることから、アンテナの受信利得を向上させることが可能となる。
【００６５】
（実施の形態４）
図８は本発明にかかるアンテナ装置の実施の形態４のＦＭ受信回路を示すアンテナ装置を組み込んだ携帯電話の回路構成図である。図８において、携帯電子機器としての携帯端末３１は、筐体３０の内部に、アンテナ装置１、高周波増幅回路２０、周波数変換回路２１、中間周波増幅回路２４、振幅制限回路２５、ＦＭ検波回路２６、デ・エンファシス回路２７、低周波増幅回路２８及びスピーカ２９を内蔵している。アンテナ装置１は、実施の形態１から３のいずれかに記載のアンテナ装置である。携帯端末３１は、例えば携帯電話であったり、ＰＤＡであったりする。また、図８に示されていない、表示部や、メモリ部、ハードディスクや外部用記憶媒体などが含まれてもよいものである。
【００６６】
ＦＭ信号は、周波数変調とも呼ばれ、搬送波の粗密により信号波を送る方式であり、パルスノイズに対して有利で音声品質が高いことが特徴である。アンテナ装置１で受信されたＦＭ信号は、高周波増幅回路２０により高周波成分を増幅させ、次に周波数変換回路２１により局部発振回路２２の信号との差である中間周波数信号を取り出す。周波数変換回路２１は、局部発振回路２２と混合回路２３からなり、アンテナからのＦＭ信号を中間周波数信号に変換する。次に、中間周波増幅回路２４で中間周波数を増幅し、信号の選択をおこなう。そして振幅制限回路２５にて信号の振幅方向の成分を取り除き、信号の振幅をそろえる。次に、ＦＭ検波回路２６にて中間周波数を中心にしたＦＭ波を、周波数の変化から振幅の変化である音声信号に変換し、音声信号を取り出す。次に、デ・エンファシス回路２７にて高域を減衰させることで、高域に含まれるノイズ成分を減らす。最後に低周波成分を低周波増幅回路２８にて増幅させて、音声信号をスピーカ２９に送ることでＦＭ放送を聞けるようにする。
【００６７】
ここで、高周波増幅回路２０、周波数変換回路２１、中間周波増幅回路２４、振幅制限回路２５、ＦＭ検波回路２６、デ・エンファシス回路２７及び低周波増幅回路２８は、ディスクリート素子にて一体に形成されてもよい。また、その一部、若しくは全部を集積回路としてのＩＣやＬＳＩなどで実現されてもよい。このような構成とすることにより、小型化や薄型化、低消費電力化を図ることができる。また、１或いは１以上のＣＰＵと記憶装置とを用いることにより、処理の一部、もしくは全部をソフトウェアで処理するようにしてもよい。
【００６８】
また、このような携帯電子機器の例である、携帯電話やＰＤＡのような携帯端末１０などでは、多機能化が求められているため、ＦＭアンテナ装置１だけでなく、ＧＰＳアンテナ、ブルーツゥースアンテナ等のアンテナ装置１が組み込まれていてよい。
【００６９】
また、近年求められているアンテナ装置１の小型化に対応する要望に対して、上述のアンテナ装置１により小型化が実現されるため、これに対応することが可能である。また、このようなアンテナ装置１を使用する携帯電子機器メーカーなどのユーザーにとっては、ＦＭアンテナが携帯端末１０に内蔵されることから、携帯端末１０の利用者がＦＭ放送を受信する際、イヤホンコードを携帯端末１０に接続する必要がなくなり、いつでもすぐにＦＭ放送を聞くことが可能な製品を提供することができる。
【００７０】
さらに、アンテナ装置１が携帯端末１０に内蔵されることから、携帯端末１０にイヤホンアンテナを接続するジャックを設ける必要がなくなることで外観の意匠性を向上することができる。さらに、イヤホンアンテナを有するものよりも、製造工程も容易となり携帯端末１０の低コスト化につながり、更には携帯端末１０のジャックによる静電気等による故障が減り、携帯端末１０の信頼性の向上にまでその効果が及ぶものとなる。
【産業上の利用可能性】
【００７１】
本発明は、携帯電話や携帯端末等の携帯電子機器に適用して有用なものであり、特にＦＭラジオ、ＧＰＳ蔵置等を内蔵する携帯電子機器に適用して有用なものである。
【図面の簡単な説明】
【００７２】
【図１】本発明にかかるアンテナ装置の実施の形態１を収納する携帯端末の正面図
【図２】（ａ）図１に示された携帯端末の側面図、（ｂ）他の例を示す図１に示された携帯端末の側面図
【図３】携帯端末を図２（ａ）におけるIII−IIIに沿って切り取った裏面側の部分を示す正面図
【図４】（ａ）図３のIV−IV線に沿う矢視断面図、（ｂ）他の例を示す図３のIV−IV線に沿う矢視断面図
【図５】実施の形態１のＦＭ回路部を示す回路構成図
【図６】本発明にかかるアンテナ装置の実施の形態２を収納する携帯端末を主面に平行な断面で分断した裏面側の正面図
【図７】本発明にかかるアンテナ装置の実施の形態３を収納する携帯端末を主面に平行な断面で分断した裏面側の正面図
【図８】本発明にかかるアンテナ装置の実施の形態４のＦＭ受信回路を示すアンテナ装置を組み込んだ携帯電話の回路構成図
【図９】従来のイヤホンコードを受信アンテナとして用いる携帯電話の模式図
【符号の説明】
【００７３】
１    アンテナ装置
２    アンテナ導体
３    コイル部
４    容量部
５    フェライト部材
６    アンテナグランド
７    回路基板
８    筐体
９    巻線
１０    携帯端末
１０ｅ    バッテリー
１１    ＦＭ回路部
２０    高周波増幅回路
２１    周波数変換回路
２２    局部発振回路
２３    混合回路
２４    中間周波増幅回路
２５    振幅制限回路
２６    ＦＭ検波回路
２７    デ・エンファシス回路
２８    低周波増幅回路
２９    スピーカ
【図１】
2006180157.tif 000003
【図２】
2006180157.tif 000004
【図３】
2006180157.tif 000005
【図４】
2006180157.tif 000006
【図５】
2006180157.tif 000007
【図６】
2006180157.tif 000008
【図７】
2006180157.tif 000009
【図８】
2006180157.tif 000010
【図９】
2006180157.tif 000011